(57)【要約】【課題】チューナーが位置する場所を、屋内においても正確に特定することを可能とする。【解決手段】ネットワークを介して位置情報提供サーバ３０と情報を通信する受信チャンネル設定装置は、設定されたＩＰアドレスを位置情報提供サーバ３０に送信するＩＰアドレス送信部と、送信されたＩＰアドレスに基づいて、位置情報提供サーバ３０が算出した位置情報を受信する位置情報受信部と、地域名とその地域において受信可能である放送局の情報とを関連付けて保持するマッピング情報保持部と、保持された地域名に係る地域と位置情報により特定される位置とが対応する場合、地域名と地域名に関連付けられた放送局の情報とを、受信可能である放送局の情報として受信チャンネル設定装置に設定する受信チャンネル情報設定部とを具備する。【選択図】図１
2011124715.tif 000002
【特許請求の範囲】
【請求項１】
ネットワークを介して位置情報提供サーバと情報を通信する受信チャンネル設定装置であって、
前記受信チャンネル設定装置に設定されたＩＰアドレスを送信するＩＰアドレス送信部と、
前記ＩＰアドレス送信部によって送信された前記ＩＰアドレスに基づいて、前記位置情報提供サーバが算出した位置情報を受信する位置情報受信部と、
地域名と前記地域名によって特定される地域において受信可能である放送局の情報とを関連付けて保持するマッピング情報保持部と、
前記マッピング情報保持部に保持された前記地域名によって特定される前記地域と、前記位置情報により特定される位置とが対応する場合、前記地域名と前記地域名に関連付けられた前記放送局の情報とを受信可能である放送局の情報として、前記受信チャンネル設定装置に設定する受信チャンネル情報設定部とを具備することを特徴とする受信チャンネル設定装置。
【請求項２】
前記マッピング情報保持部に保持される情報の更新要求を、前記ネットワークを介して放送局情報提供サーバに送信する更新要求送信部と、
前記更新要求送信部によって送信された前記更新要求に対応する更新情報を、前記放送局情報提供サーバから受信する更新情報受信部と、
前記更新情報受信部によって受信された前記更新情報を用いて前記マッピング情報保持部に保持される前記情報を更新するマッピング情報更新部とを具備することを特徴とする請求項１に記載の受信チャンネル設定装置。
【請求項３】
前記放送局の情報は、少なくとも、前記放送局の放送に用いられる周波数を含むことを特徴とする請求項１又は２に記載の受信チャンネル設定装置。
【請求項４】
ネットワークを介して位置情報提供サーバと情報を通信する受信チャンネル設定装置における受信チャンネル設定方法であって、
前記受信チャンネル設定装置に設定されたＩＰアドレスを送信するステップと、
送信された前記ＩＰアドレスに基づいて、前記位置情報提供サーバが算出した位置情報を受信するステップと、
地域名と前記地域名によって特定される地域において受信可能である放送局の情報とを関連付けて保持するステップと、
保持された前記地域名によって特定される前記地域と、前記位置情報により特定される位置とが対応する場合、前記地域名と前記地域名に関連付けられた前記放送局の情報とを受信可能である放送局の情報として、前記受信チャンネル設定装置に設定するステップとを具備することを特徴とする受信チャンネル設定方法。
【請求項５】
ネットワークを介して位置情報提供サーバと情報を通信する受信チャンネル設定装置において、コンピューターを前記受信チャンネル設定装置として機能させる受信チャンネル設定プログラムであって、
前記コンピューターに設定されたＩＰアドレスを送信するステップと、
送信された前記ＩＰアドレスに基づいて、前記位置情報提供サーバが算出した位置情報を受信するステップと、
地域名と前記地域名によって特定されると前記地域において受信可能である放送局の情報とを関連付けて保持するステップと、
保持された前記地域名によって特定される前記地域と、前記位置情報により特定される位置とが対応する場合、前記地域名と前記地域名に関連付けられた前記放送局の情報とを受信可能である放送局の情報として、前記コンピューターに設定するステップとを具備することを特徴とする受信チャンネル設定プログラム。
【発明の詳細な説明】
【技術分野】
【０００１】
本発明は、チューナーが位置する場所に対応して、受信可能であるテレビ放送局の受信チャンネルを設定する受信チャンネル設定装置、受信チャンネル設定方法及び受信チャンネル設定プログラムに関する。
【背景技術】
【０００２】
近年、携帯端末などによって、利用者が移動しながらテレビ放送を見ることができるようになったことに伴い、固定式のテレビの場合にはなかった問題が生じている。
【０００３】
固定式のテレビは、それが位置する場所において受信可能であるテレビ放送局の受信チャンネルを、通常は使用開始時に１度設定するだけである。
【０００４】
しかしながら、テレビ視聴が可能である携帯端末などは、それが位置する場所が一定でない可能性が極めて高いため、頻繁に受信可能であるテレビ放送局の受信チャンネル設定を行わなければならない。
【０００５】
そこで、固定式のテレビや携帯端末などに接続又は内蔵されたチューナーが、受信可能であるテレビ放送局の受信チャンネル設定を行うために、ＧＰＳ（Ｇｌｏｂａｌ  Ｐｏｓｉｔｉｏｎｉｎｇ  Ｓｙｓｔｅｍ）を用いて、当該チューナーが位置する場所を特定する技術が提案されている（例えば、特許文献１参照）。
【先行技術文献】
【特許文献】
【０００６】
【特許文献１】特開２００８−１０９２５６号公報
【発明の概要】
【発明が解決しようとする課題】
【０００７】
上述した技術では、ＧＰＳによって、チューナーが位置する場所の経度・緯度・高度を測定し、それらの情報からチューナーが位置する場所を特定する。
【０００８】
しかしながら、ＧＰＳは、地球上空の人工衛星からの信号を受信して動作するため、上空の視界がさえぎられる場所では精度が低く、又は測定自体ができなくなる。従って、ＧＰＳによって測定された情報のみを用いて、チューナーが受信可能であるテレビ放送局の受信チャンネル設定を行うと、誤動作する可能性が高くなる。
【０００９】
上記問題点に鑑み、本発明は、チューナーが位置する場所を正確に特定することを目的とする。
【課題を解決するための手段】
【００１０】
上述した課題を解決するために、本発明は以下のような特徴を有している。
【００１１】
本発明の特徴は、ネットワーク（インターネット５０）を介して位置情報提供サーバ（位置情報提供サーバ３０）と情報を通信する受信チャンネル設定装置（受信チャンネル設定装置１００）であって、前記受信チャンネル設定装置に設定されたＩＰアドレスを送信するＩＰアドレス送信部（ＩＰアドレス送信部１００１）と、前記ＩＰアドレス送信部によって送信された前記ＩＰアドレスに基づいて、前記位置情報提供サーバが算出した位置情報を受信する位置情報受信部（位置情報受信部１００３）と、地域名と前記地域名によって特定される地域において受信可能である放送局の情報とを関連付けて保持するマッピング情報保持部（マッピング情報保持部１００５）と、前記マッピング情報保持部に保持された前記地域名によって特定される前記地域と、前記位置情報により特定される位置とが対応する場合、前記地域名と前記地域名に関連付けられた前記放送局の情報とを受信可能である放送局の情報として、前記受信チャンネル設定装置に設定する受信チャンネル情報設定部（受信チャンネル情報設定部１００９）とを具備することを要旨とする。
【００１２】
このような受信チャンネル設定装置によれば、受信チャンネル設定装置が位置する場所を正確に特定することが可能である。
【００１３】
本発明の特徴は、前記マッピング情報保持部に保持される情報の更新要求を、前記ネットワークを介して放送局情報提供サーバ（放送局情報提供サーバ４０）に送信する更新要求送信部（更新要求送信部１０１３）と、前記更新要求送信部によって送信された前記更新要求に対応する更新情報を、前記放送局情報提供サーバから受信する更新情報受信部（更新情報受信部１０１５）と、前記更新情報受信部によって受信された前記更新情報を用いて前記マッピング情報保持部に保持される前記情報を更新するマッピング情報更新部（マッピング情報更新部１０１７）とを具備することを要旨とする。
【００１４】
このような受信チャンネル設定装置によれば、地域名と当該地域名によって特定される地域において受信可能である放送局の情報とを関連付けたマッピング情報保持部に保持される情報の内容を定期的に更新するため、これとＩＰアドレスにより特定される正確な位置情報とを組み合わせることにより、精度の高い受信チャンネル設定情報を、受信チャンネル設定装置に設定することが可能である。
【００１５】
本発明の特徴は、前記放送局の情報は、少なくとも、前記放送局が放送する放送に用いられる周波数を含むことを要旨とする。
【００１６】
本発明の特徴は、ネットワークを介して位置情報提供サーバと情報を通信する受信チャンネル設定装置における受信チャンネル設定方法であって、前記受信チャンネル設定装置に設定されたＩＰアドレスを送信するステップと、送信された前記ＩＰアドレスに基づいて、前記位置情報提供サーバが算出した位置情報を受信するステップと、地域名と前記地域名によって特定される地域において受信可能である放送局の情報とを関連付けて保持するステップと、保持された前記地域名によって特定される前記地域と、前記位置情報により特定される位置とが対応する場合、前記地域名と前記地域名に関連付けられた前記放送局の情報とを受信可能である放送局の情報として、前記受信チャンネル設定装置に設定するステップとを具備することを要旨とする。
【００１７】
本発明の特徴は、ネットワークを介して位置情報提供サーバと情報を通信する受信チャンネル設定装置において、コンピューターを前記受信チャンネル設定装置として機能させる受信チャンネル設定プログラムであって、前記コンピューターに設定されたＩＰアドレスを送信するステップと、送信された前記ＩＰアドレスに基づいて、前記位置情報提供サーバが算出した位置情報を受信するステップと、地域名と前記地域名によって特定されると前記地域において受信可能である放送局の情報とを関連付けて保持するステップと、保持された前記地域名によって特定される前記地域と、前記位置情報により特定される位置とが対応する場合、前記地域名と前記地域名に関連付けられた前記放送局の情報とを受信可能である放送局の情報として、前記コンピューターに設定するステップとを具備することを要旨とする。
【発明の効果】
【００１８】
本発明によれば、チューナーが位置する場所を正確に特定することが可能となる。
【図面の簡単な説明】
【００１９】
【図１】本発明の実施形態に係る通信システムの全体概略構成図である。
【図２】本発明の実施形態に係るセットトップボックス１０の構成図である。
【図３】本発明の実施形態に係る受信チャンネル設定装置１００の第１の動作を示すフローチャートである。
【図４】本発明の実施形態に係る受信チャンネル設定装置１００の第２の動作を示すフローチャートである。
【図５】本発明の実施形態に係るマッピング情報のデータ構造である。
【発明を実施するための形態】
【００２０】
次に、図面を参照して、本発明の実施形態を説明する。具体的には、（１）通信システムの全体概略構成、（２）セットトップボックスの構成、（３）受信チャンネル設定装置の動作、（４）作用・効果、（５）その他の実施形態について説明する。以下の実施形態における図面の記載において、同一又は類似の部分には同一又は類似の符号を付している。
【００２１】
（１）通信システムの全体概略構成
図１は、本発明の実施形態に係る通信システム１の全体概略構成図である。
【００２２】
図１に示すように、通信システム１は、セットトップボックス１０と、モニタ２０と、位置情報提供サーバ３０と、放送局情報提供サーバ４０と、インターネット５０とを含む。
【００２３】
セットトップボックス１０は、インターネット５０を介して、位置情報提供サーバ３０に当該セットトップボックス１０の位置する場所の位置情報を要求し、位置情報提供サーバ３０から位置情報を受信する。当該セットトップボックス１０は、受信した位置情報に基づいて、受信可能である放送局の情報を選択する。また、セットトップボックス１０は、選択された放送局の情報に係る放送局からの放送信号を受信し、モニタ２０において視聴可能な信号に変換する。また、セットトップボックス１０は、インターネット５０を介して、放送局情報提供サーバ４０に最新の放送局の情報を要求し、放送局情報提供サーバ４０から当該情報を受信する。当該セットトップボックス１０は、受信した情報に基づいて、保持している放送局の情報を更新する。なお、セットトップボックス１０はモニタ２０に含まれていてもよい。
【００２４】
モニタ２０は、セットトップボックス１０から、モニタ２０において視聴可能な信号を受信し、表示する。なお、モニタ２０は、テレビ受像機又は携帯端末の画面などでもよい。
【００２５】
位置情報提供サーバ３０は、インターネット５０を介して、セットトップボックス１０からの当該セットトップボックス１０の位置する場所、又は当該セットトップボックス１０が属するＬＡＮなどのネットワークとインターネットとを結合するゲートウェイサーバなどの位置する場所の位置情報の要求を受信する。更に、位置情報提供サーバ３０は、当該位置情報の要求に含まれる送信元グローバルＩＰアドレス、すなわちセットトップボックス１０自体に含まれる受信チャンネル設定装置に設定されたグローバルＩＰアドレス、又は当該セットトップボックス１０が属するＬＡＮなどのネットワークとインターネット５０とを結合するゲートウェイサーバなどに設定されたグローバルＩＰアドレスから位置情報を算出し、セットトップボックス１０に算出した当該位置情報を送信する。
【００２６】
放送局情報提供サーバ４０は、インターネット５０を介して、セットトップボックス１０から最新の放送局の情報の要求を受信し、セットトップボックス１０に、当該要求の時点で保持している、全ての放送局に関しての最新の放送局の情報を送信する。なお、当該情報は最新のマッピング情報として、少なくとも、地域名、放送局名、周波数、物理チャンネル番号、論理チャンネル番号及びタイムスタンプが含まれ、当該情報の追加又は変更が生じるごとに随時更新される。
【００２７】
（２）セットトップボックスの構成
図２は、本発明の実施形態に係るセットトップボックス１０の構成図である。
【００２８】
セットトップボックス１０は、受信チャンネル設定装置１００とチューナー１１０とを含む。
【００２９】
受信チャンネル設定装置１００は、位置情報提供サーバ３０によって特定される、セットトップボックス１０の位置する場所、又は当該セットトップボックス１０が属するＬＡＮなどのネットワークとインターネットとを結合するゲートウェイサーバなどの位置する場所の位置情報に基づいて、受信可能である放送局の情報を選択する。
【００３０】
チューナー１１０は、受信チャンネル設定装置１００によって選択された放送局の情報であり、後述する受信チャンネル情報保持部１０１１に保持される受信チャンネル情報に係る放送局の中から利用者に任意の放送局を選択させる。次に、チューナー１１０が、利用者によって選択された放送局からの放送信号を受信する。更に、チューナー１１０が、モニタ２０において視聴可能な信号に変換する。
【００３１】
受信チャンネル設定装置１００は、ＩＰアドレス送信部１００１、位置情報受信部１００３、マッピング情報保持部１００５、受信チャンネル情報選択部１００７、受信チャンネル情報設定部１００９、受信チャンネル情報保持部１０１１、更新要求送信部１０１３、更新情報受信部１０１５、マッピング情報更新部１０１７及び通信部１０５０とを含む。
【００３２】
ＩＰアドレス送信部１００１は、受信チャンネル設定装置１００に設定されたグローバルＩＰアドレス又はプライベートＩＰアドレスを、受信チャンネル設定装置１００を含むセットトップボックス１０の位置する場所の位置情報の要求として、インターネット５０を介して、位置情報提供サーバ３０に送信する。なお、受信チャンネル設定装置１００に設定されたＩＰアドレスが、プライベートＩＰアドレスである場合は、受信チャンネル設定装置１００を含むセットトップボックス１０が属するＬＡＮなどのネットワークとインターネットとを結合するゲートウェイサーバなどが、当該プライベートＩＰアドレスを当該ゲートウェイサーバなどに設定されたグローバルＩＰアドレスに変換した後、位置情報提供サーバ３０に送信する。
【００３３】
位置情報受信部１００３は、位置情報提供サーバ３０から、インターネット５０を介して、受信チャンネル設定装置１００を含むセットトップボックス１０の位置する場所、又は当該セットトップボックス１０が属するＬＡＮなどのネットワークとインターネットとを結合するゲートウェイサーバなどの位置する場所の位置情報を受信する。なお、当該位置情報は、位置情報提供サーバ３０において、位置情報提供サーバ３０に送信されたグローバルＩＰアドレスに基づいて算出される。また、当該位置は住所で表されてもよく、経度と緯度とで表されてもよい。
【００３４】
マッピング情報保持部１００５は、地域名と当該地域名によって特定される地域において受信可能である放送局の情報とを関連付けて、マッピング情報として保持する。具体的には、図５に示すように、少なくとも、地域名、放送局名、周波数、物理チャンネル番号、論理チャンネル番号及びタイムスタンプを含む。なお、図５に示された地域名に係る地域は県単位であるが、地方単位などの県より大きい単位又は市や区などの県より小さい単位でもよい。
【００３５】
受信チャンネル情報選択部１００７は、位置情報受信部１００３が位置情報提供サーバ３０から受信した、受信チャンネル設定装置１００を含むセットトップボックス１０の位置する場所、又は当該セットトップボックス１０が属するＬＡＮなどのネットワークとインターネットとを結合するゲートウェイサーバなどの位置する場所の位置情報に対応する、マッピング情報保持部１００５に保持されたマッピング情報を、受信チャンネル情報として選択する。具体的には、受信チャンネル情報選択部１００７は、住所又は経度と緯度とからなる位置情報とマッピング情報の地域名とを比較し、両者が地図上で重複する場合のマッピング情報を受信チャンネル情報として選択する。
【００３６】
受信チャンネル情報設定部１００９は、受信チャンネル情報選択部１００７によって選択された受信チャンネル情報を受信チャンネル情報保持部１０１１に設定する。
【００３７】
受信チャンネル情報保持部１０１１は、受信チャンネル情報設定部１００９によって設定された受信チャンネル情報を保持する。
【００３８】
更新要求送信部１０１３は、マッピング情報保持部１００５に保持されたマッピング情報の内容を更新するために、定期的に、インターネット５０を介して、当該情報の内容更新要求を放送局情報提供サーバ４０に送信する。
【００３９】
更新情報受信部１０１５は、更新要求送信部１０１３が当該情報の内容更新要求を送信した時点で、放送局情報提供サーバ４０が保持する最新のマッピング情報を、インターネット５０を介して、放送局情報提供サーバ４０から受信する。
【００４０】
マッピング情報更新部１０１７は、マッピング情報保持部１００５に保持されたマッピング情報を、更新情報受信部１０１５が受信した最新のマッピング情報を用いて更新する。具体的には、放送局情報提供サーバ４０から受信した最新のマッピング情報とマッピング情報保持部１００５に保持されたマッピング情報とが有するタイムスタンプを比較し、放送局情報提供サーバ４０から受信した最新のマッピング情報が、マッピング情報保持部１００５に保持されたマッピング情報より新しいマッピング情報のみ当該最新のマッピング情報で上書きする。なお、マッピング情報のそれぞれは地域名と周波数（ＭＨｚ）とによって一意に識別できる。
【００４１】
通信部１０５０は、位置情報提供サーバ３０及び放送局情報提供サーバ４０との間で、インターネット５０を介した通信を行う。
【００４２】
（３）受信チャンネル設定装置の動作
次に、受信チャンネル設定装置の動作を説明する。図３及び図４は、受信チャンネル設定装置の動作を示すフローチャートである。
【００４３】
まず、図３を用いて、受信チャンネル設定装置１００が、受信可能である放送局の情報を選択する動作について説明する。
【００４４】
ステップＳ１０１において、ＩＰアドレス送信部１００１は、受信チャンネル設定装置１００に設定されたＩＰアドレスを、受信チャンネル設定装置１００を含むセットトップボックス１０の位置する場所の位置情報の要求として、インターネット５０を介して、位置情報提供サーバ３０に送信する。
【００４５】
ステップＳ１０３において、位置情報受信部１００３は、位置情報提供サーバ３０から、インターネット５０を介して、受信チャンネル設定装置１００を含むセットトップボックス１０の位置する場所、又は当該セットトップボックス１０が属するＬＡＮなどのネットワークとインターネットとを結合するゲートウェイサーバなどの位置する場所の位置情報を受信する。
【００４６】
ステップＳ１０５において、受信チャンネル情報選択部１００７は、位置情報受信部１００３が位置情報提供サーバ３０から受信した、受信チャンネル設定装置１００を含むセットトップボックス１０の位置する場所、又は当該セットトップボックス１０が属するＬＡＮなどのネットワークとインターネットとを結合するゲートウェイサーバなどの位置する場所の位置情報に対応する、マッピング情報保持部１００５に保持されたマッピング情報を、受信チャンネル情報として選択する。
【００４７】
ステップＳ１０７において、受信チャンネル情報設定部１００９は、受信チャンネル情報選択部１００７によって選択された受信チャンネル情報を受信チャンネル情報保持部１０１１に設定し、受信チャンネル情報保持部１０１１は、受信チャンネル情報設定部１００９によって設定された受信チャンネル情報を保持する。
【００４８】
次に図４を用いて、受信チャンネル設定装置１００が、マッピング情報を更新する動作について説明する。
【００４９】
ステップＳ２０１において、更新要求送信部１０１３は、マッピング情報保持部１００５に保持されたマッピング情報の内容を更新するために、定期的に、インターネット５０を介して、当該情報の内容更新要求を放送局情報提供サーバ４０に送信する。
【００５０】
ステップＳ２０３において、更新情報受信部１０１５は、更新要求送信部１０１３が当該情報の内容更新要求を送信した時点で、放送局情報提供サーバ４０が保持する最新のマッピング情報を、インターネット５０を介して、放送局情報提供サーバ４０から受信する。
【００５１】
ステップＳ２０５において、マッピング情報更新部１０１７は、マッピング情報保持部１００５に保持されたマッピング情報を、更新情報受信部１０１５が受信した最新のマッピング情報を用いて更新する。なお、マッピング情報のそれぞれは地域名と周波数（ＭＨｚ）とによって一意に識別できる。
【００５２】
（４）作用・効果
本発明の実施形態において、受信チャンネル設定装置１００は、当該受信チャンネル設定装置１００に設定されたＩＰアドレスに基づいて位置情報を算出する位置情報提供サーバ３０と通信を行うよう構成されている。
【００５３】
このような受信チャンネル設定装置１００によれば、ＩＰアドレスを用いることにより、地球上空における視界などの外的要因の影響を受けるＧＰＳと異なり、受信チャンネル設定装置１００を含むセットトップボックス１０が位置する場所を正確に特定することができる。
【００５４】
また、受信チャンネル設定装置１００は、地域名と当該地域名によって特定される地域において受信可能である放送局の情報とを関連付けたマッピング情報の内容を定期的に更新するため、これとＩＰアドレスにより特定される正確な位置情報とを組み合わせることにより、精度の高い受信チャンネル設定情報を、受信チャンネル設定装置１００を含むセットトップボックス１０に設定することができる。
【００５５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００５６】
上述した実施形態では、地域名と当該地域名によって特定される地域において受信可能である放送局の情報とを関連付けたマッピング情報の更新を、放送局情報提供サーバ４０から受信した最新のマッピング情報を用いて行うが、放送局からの放送信号に多重されるＮＩＴ（Ｎｅｔｗｏｒｋ  Ｉｎｆｏｒｍａｔｉｏｎ  Ｔａｂｌｅ）に基づいても、マッピング情報の更新が可能である。
【００５７】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００５８】
本発明の受信チャンネル設定装置、受信チャンネル設定方法及び受信チャンネル設定プログラムは、チューナーが位置する場所を正確に特定することが可能であり、受信チャンネル設定装置、受信チャンネル設定方法及び受信チャンネル設定プログラムとして有用である。
【符号の説明】
【００５９】
１０…セットトップボックス、２０…モニタ、３０…位置情報提供サーバ、４０…放送局情報提供サーバ、５０…インターネット、１００…受信チャンネル設定装置、１１０…チューナー、１００１…ＩＰアドレス送信部、１００３…位置情報受信部、１００５…マッピング情報保持部、１００７…受信チャンネル情報選択部、１００９…受信チャンネル情報設定部、１０１１…受信チャンネル情報保持部、１０１３…更新要求送信部、１０１５…更新情報受信部、１０１７…マッピング情報更新部、１０５０…通信部
【図１】
2011124715.tif 000003
【図２】
2011124715.tif 000004
【図３】
2011124715.tif 000005
【図４】
2011124715.tif 000006
【図５】
2011124715.tif 000007